(57)【要約】      （修正有）【課題】人と会食をする際に感染防止を保ちつつ飲食と会話のあらゆる場面を繰り返してもシールド表面に手を触れることなく安全性と利便性を兼ね備えたフェイスシールドを提供する。【解決手段】使用者の頭部に装着し固定挟持するフレーム部と、使用者の顔面を被覆する透明な樹脂シールド部からなるフェイスシールドであり、使用者の頭部に巻装される固定挟持部にはシールド部を回動可能にするために組み付けられた円筒状の空洞保持部品をその中央に備える。シールド部は顔を覆うＵ字形状に保持するための骨格を有し、それを透明な樹脂製シート材の穴に通して簡単に係合する。さらにシールド部の骨格を円筒状の空洞保持部品にシールド中央の穴を通して係合することで、重力に従って自由に可動するシールド部を有したフェイスシールドを形成する。【選択図】図３
0003231440.tif 000002
【実用新案登録請求の範囲】
【請求項１】
使用者の頭部に装着され使用者の顔面前方を被覆する透明な合成樹脂製のフェイスシールドであって、使用者の頭部に巻装して固定する挟持部品と、そこに空洞状の保持部品を通じて回動可能に係合されたシールド部品を備えることで、シールド部品が重力に従って回動することを特徴としたフェイスシールド。
【請求項２】
平面のシート材で顔面を覆うよう曲面状に変形保持するための骨格を成すフレーム部品を有したシールド部品と、頭部に巻装し固定挟持するフレーム部品と別々に独立して配していることを特徴とした請求項１のフェイスシールド。
【請求項３】
シールド部品と固定挟持部品を係合するための保持部品の脱着挿入口の幅は、直ぐに外れないよう骨格材の最大幅より若干狭い間隔とし、保持部品の素材の物性または形状にて弾性または可動性を持たせることで、大きな力を用いずとも容易に脱着できることを特徴とした請求項１および請求項２のフェイスシールド。
【考案の詳細な説明】
【技術分野】
【０００１】
本考案は、フェイスシールドに係り、特にシールド部が重力に従って回動するフェイスシールドに関する。
【背景技術】
【０００２】
一般に、フェイスシールドは、主にウイルス飛沫、花粉、埃等から使用者の顔面を保護するためのもので、固定されて使用する物である。
一方、 従来からのフェイスシールドはシールド部が一般的に固定で、一部に折り曲げや回動可能なものもあるが、上げ下げはできてもその後の位置は固定であり、飲食や会話の繰り返しに際しその都度手で動かすのは大変面倒で利便性に欠けるという事情があった。
【０００３】
素材にフレキシブル透明ビニールを使用し、フェイスシールド下部を上方へ折りたたみ可能とし、前面左右上下端に磁石を取付けることで折りたたんだ上下フェイスシールドの固定を可能とし、装着した状態で飲食が可能となりえるようにしたものであるが、固定により会話や飲食の繰り返し動作に対し利便性に欠ける。（特許文献１）
【０００４】
使用者の頭部に装着され、固定ベルト部の長さ方向に互いに離間して２か所に形成された係合片部からなり、係合片部は、固定ベルト部の長さ方向における反対方向へ先端部が配置された一対の切り起し片部からなり、切り起し片部を切り起して孔部内に挿通させて孔部の縁部に係止させ、シールド部を固定ベルト部に対して回動可能に固定したものであるが、これも上げ下げ時に固定となり、会話や飲食の繰り返し動作に対し利便性に欠ける。（特許文献２）
【０００５】
透明シートとフレーム部、および固定部材を有し、フレームと固定部材とが、透明シートの両端部を挟持し、挟持された透明シートの孔と固定部材の棒状突起を介してフレームと固定部材との間で旋回するフェイスシールドであるが、こちらも上げ下げ時に固定となり、会話や飲食の繰り返し動作に対し利便性に欠ける。（特許文献３）
【先行技術文献】
【特許文献】
【０００６】
【特許文献１】実用新案登録第3227983号
【特許文献２】実用新案登録第3227908号
【特許文献３】実用新案登録第3227844号
【考案の概要】
【考案が解決しようとする課題】
【０００７】
本考案はこのような面倒を解決するためのものであって、その課題は飲食や会話の繰り返し動作に対して安全性や利便性を図ることのできるフェイスシールドを提供することにある。
【０００８】
また、本品を繰り返しの使用するにあたり洗浄や除菌を容易にする為に、シンプルで柔軟な形状を追求し、簡単に脱着可能なシステムを図ることにより清潔性が維持でき、実用性の高いフェイスシールドを提供する。
【課題を解決するための手段】
【０００９】
使用者の頭部に装着する固定挟持部と使用者の顔面前方を被覆する透明な樹脂シールド部からなるフェイスシールドである。使用者の頭部に巻装される固定挟持部には回動可能にするために組み付けられた円筒状などの空洞部をその中央に１ヶ所または中央から等間隔に２ヶ所に配したものとする。またシールド部は顔を覆うＵ字形状を保持するための骨格を有し、それを透明な樹脂製シールドのシート材に設けた穴に通して係合する。さらにそれらシールド部を固定挟持部に備え付けられた風洞部に係合することで、重力に沿って前後にぶらぶらと回動するシールドを有したフェイスシールドを形成する。
【００１０】
但しそのシールドや骨格部は自由に回動するが左右には移動して抜け落ちないように固定されたものとする。
【００１１】
さらに樹脂製のシールドにはパンチ穴を形成し、骨格部品をその穴に通すか引っ掛けるなどして簡単に装着できるよう工夫されたものとする。
【００１２】
顔を上げた際に自由に回動するシールドが口元にくっ付かないようストッパーとなるパーツを固定挟持部に形成するよう考慮する。
【考案の効果】
【００１３】
現在はウイルスなど感染症の感染拡大が憂慮され、また飲食時でのノーマスクが感染拡大の大きな一因として言われる中、会食時のマスクや従来のフェイスシールドを繰り返し着け外しするといった面倒な使用方法が拡大防止のための所作として公的にも広く案内されていますが、本考案により、会食時にノーマスクであっても感染防止の為の行動にそくしたより効果的な実用性の高いフェイスシールドを提供できます。
【００１４】
また本考案を利用することにより、会食時に手を使わずともシールド機能が保たれ、シールド表面に他人のウイルスなどの飛沫がもし付着しても、それらに触れることなく安全性を自然に担保することができ、外食などの経済活動がより安全に行うことが可能となります。
【００１５】
尚、使用者の頭部に固定する本考案の挟持部品には、私の住むめがね産地福井ならではの製造技術が活かされ、コロナ禍で落ち込んだ地場産業の活性化に寄与することにもつながります。
【図面の簡単な説明】
【００１６】
【図１】本考案によるフェイスシールドの固定挟持部品の斜視図である。
【図２】本考案によるフェイスシールドのシールド部品の斜視図である。
【図３】本考案によるフェイスシールドの合体した全体斜視図である。
【図４】下を向いた際に重力に沿って回動したフェイスシールドのイメージ略図である。
【考案を実施するための形態】
【実施例】
【００１７】
〔実施例１〕軽量で弾性のあるチタン材を曲げてヘアバンドの様に頭部に巻装される形状として頭部をやさしく挟持できるようなフレーム部品１の中央上部に円筒状の空洞となる保持部品２を配します。「図１」また一方、透明な樹脂シート材をカットしたシールド３に断面が円形の丸線材をＵ字形に成形させたものを骨格６としてシート材に開けた穴５に挿入して係合します。「図２」挟持部品１の中央上部にある保持部品２をシールド中央の穴に通して丸線状の骨格６をそこに係合して合体し完成とする。「図３」
【００１８】
〔実施例２〕実施例１で中央部に１つ設けた円筒状の保持部を中心より等間隔にある左右２点で回動しつつ保持できるようバランス良く改善したものを提供する。
【産業上の利用可能性】
【００１９】
本考案のフェイスシールドは、めがね産地で培った福井のフレーム製造技術を活かし、万人が快適に使用可能とした適度な狭持力で高耐久な固定挟持部品を形成する。
それらは使い捨てではない弾性チタンなど高品質な材料を使用し、個人の所有以外にも高級ホテルのレストランや飲食店などで繰り返しお客様にご提供しての利用も想定できる。
【００２０】
本考案のフェイスシールドは、めがね産地福井ならではの素材選定により、大変品質の良い透明度の高い高級シート材をシールドとして利用可能であり、これにより飲食以外のビジネスシーンでの利用も可能となり、幅広い経済活動において活性化も望める。
【符号の説明】
【００２１】
１  弾性素材により頭部を挟持するためのフレーム部品
２  骨格６を中に入れて回動できるようにする為の空洞となる保持部品
３  透明な樹脂シート材でできたシールド部品
４  ２の保持部品を通すためのシールド中央に開けられた穴
５  骨格６を通してシート材を保持すために両サイドに開けられた穴
６  シールド部品を回動させるために丸線材でできたシールド骨格部品
【図１】
0003231440.tif 000003
【図２】
0003231440.tif 000004
【図３】
0003231440.tif 000005
【図４】
0003231440.tif 000006
【手続補正書】
【提出日】令和2年12月17日(2020.12.17)
【手続補正１】
【補正対象書類名】実用新案登録請求の範囲
【補正対象項目名】全文
【補正方法】変更
【補正の内容】
【実用新案登録請求の範囲】
【請求項１】
使用者の頭部に装着され使用者の顔面前方を被覆する透明な合成樹脂製のフェイスシールドであって、使用者の頭部に巻装して固定する挟持部品と、回動可能に係合されたシールド部品を備えることで、シールド部品が重力に従って回動することを特徴としたフェイスシールド。
【請求項２】
平面のシート材で顔面を覆うよう曲面状に変形保持するための骨格を成すフレーム部品を有したシールド部品と、頭部に巻装し固定挟持するフレーム部品と別々に独立して配していることを特徴とした請求項１のフェイスシールド。
【請求項３】
シールド部品と固定挟持部品を係合するための保持部品の脱着挿入口の幅は、直ぐに外れないよう骨格材の最大幅より若干狭い間隔とし、保持部品の素材の物性または形状にて弾性または可動性を持たせることで、大きな力を用いずとも容易に脱着できることを特徴とした請求項１および請求項２のフェイスシールド。
【手続補正書】
【提出日】令和3年1月29日(2021.1.29)
【手続補正１】
【補正対象書類名】実用新案登録請求の範囲
【補正対象項目名】全文
【補正方法】変更
【補正の内容】
【実用新案登録請求の範囲】
【請求項１】
使用者の頭部に装着され使用者の顔面前方を被覆する透明な合成樹脂製のフェイスシールドであって、突起した保持部を有した頭部に巻装して挟持するフレーム部品と、その突起部をシールド部品内に設けた脱着用の穴に通して引っ掛けて係合されたシールド部品を備えることで、シールド部品が重力に従って回動することを特徴としたフェイスシールド。
【請求項２】
平面のシート材で顔面を覆うよう曲面状に変形させるための骨格を成す部品を配したシールド部品と、頭部に巻装し挟持するフレーム部品と別々に独立して配していることを特徴とした請求項１のフェイスシールド。
【請求項３】
頭部に巻装し挟持するフレーム部品の突起した保持部をシールド部品の穴を通して係合する際に、保持部の最大幅をその穴より幾らか大きくすることで外れ難くしたことを特徴とした請求項１および請求項２のフェイスシールド。